(57)【要約】【課題】自動販売機を備え、購入者をより強く引き付けて、この自動販売機での商品販売量を増加させることができる商品販売装置を提供する。【解決手段】商品販売装置１は、予め内部に収容された商品を外部に排出する商品排出機構１４と、商品の代価を受け付ける代価受付機構１３とを備えた自動販売機１０と、自動販売機１０の左右両側に設けられ、商品購入者が利用する空間Ｓを設定する空間設定部材２０と、空間Ｓ内で商品購入者の居場所となる領域に向け指向性を持たせて、商品購入者が不快に感じる音声を出力する音声出力装置３０と、自動販売機１０及び音声出力装置３０の作動を制御する制御装置とからなる。制御装置は、代価受付機構１３によって受け付けられた代価が商品の代価に相当するものであるときに、商品排出機構１４を作動させて商品を排出させるとともに、音声出力装置３０からの音声出力を一定時間停止させる。【選択図】図１
2008040856.tif 000002
【特許請求の範囲】
【請求項１】
予め内部に収容された商品たる煙草の代価を受け付けて、前記商品を外部に排出する自動販売機と、
前記自動販売機と隣接した位置に設けられて喫煙空間を設定する空間設定部材であって、前記自動販売機側から水平方向に張り出すように形成された張出部を有し、この張出部の下方位置及びその周辺位置を前記喫煙空間として設定する空間設定部材と、
前記喫煙空間内又はこの喫煙空間と隣接する位置に配設された灰皿と、
前記空間設定部材の張出部の下面に設けられ、前記喫煙空間内から煙草の煙を排煙する排煙手段とからなることを特徴とする商品販売装置。
【請求項２】
予め内部に収容された商品を外部に排出する商品排出機構と、前記商品の代価を受け付ける代価受付機構とを有する自動販売機と、
前記自動販売機と隣接した位置に設けられ、この自動販売機で商品を購入した購入者が利用する空間を設定する空間設定部材と、
前記空間設定部材により設定された空間内で前記購入者の居場所となる領域に向け指向性を持たせて音声を出力する手段であって、前記購入者が不快に感じる音声を前記領域に向けて出力する音声出力手段と、
前記自動販売機及び音声出力手段の作動を制御する制御手段とからなり、
前記制御手段は、前記音声出力手段から前記音声を連続的又は間欠的に出力させる処理と、前記代価受付機構によって代価が受け付けられると、この受付代価が前記商品の代価に相当するものであるか否かを確認して、前記商品の代価に相当する代価の受付を確認した場合に、前記商品排出機構を作動させて前記商品を排出させるとともに、前記音声出力手段からの音声出力を一定時間停止状態にする処理とを実行するように構成されてなることを特徴とする商品販売装置。
【請求項３】
予め内部に収容された商品を外部に排出する商品排出機構と、前記商品の代価を受け付ける代価受付機構とを有する自動販売機と、
前記自動販売機と隣接した位置に設けられ、この自動販売機で商品を購入した購入者が利用する空間を設定する空間設定部材と、
前記空間設定部材により設定された空間内で前記購入者の居場所となる領域に向け指向性を持たせて音声を出力する手段であって、前記購入者が不快に感じる音声を前記領域に向けて出力する音声出力手段と、
前記空間設定部材により設定された空間内で前記購入者の居場所となる領域に人が居るか否かを検出する検出手段と、
前記自動販売機の作動を制御するとともに、前記検出手段から得られる検出信号を基に前記音声出力手段の作動を制御する制御手段とからなり、
前記制御手段は、前記代価受付機構によって代価が受け付けられると、この受付代価が前記商品の代価に相当するものであるか否かを確認して、前記商品の代価に相当する代価の受付を確認した場合に、前記商品排出機構を作動させて前記商品を排出させる処理と、前記検出手段から得られる検出信号を基に、前記購入者の居場所となる領域に人が居るか否かを確認し、人が居ることを確認すると、予め設定された、前記音声の出力停止条件が満たされているか否かを確認して、満たされていないと判断した場合に、前記音声出力手段から前記音声を出力させる処理とを実行するように構成されてなることを特徴とする商品販売装置。
【請求項４】
前記空間設定部材によって設定された空間内に、前記制御手段によって作動が制御され、予め設定されたサービスを前記購入者に提供するサービス提供手段を更に備え、
前記制御手段は、前記商品の代価に相当する代価の受付を確認した場合に、前記サービス提供手段を一定時間作動させるように構成されてなることを特徴とする請求項２又は３記載の商品販売装置。
【発明の詳細な説明】
【技術分野】
【０００１】
本発明は、内部に収容された商品の代価を受け付けて、商品を外部に排出する自動販売機を備えた商品販売装置に関する。
【背景技術】
【０００２】
従来、前記自動販売機として、例えば、特開平６−６０２５６号公報に開示されたものが知られている。この自動販売機は、予め内部に収容された商品を外部に排出する商品排出機構と、お金を投入するための投入口（代価受付機構）と、各種情報を表示するとともに、所定の情報を入力するためのいわゆるタッチ式のディスプレイと、商品排出機構の作動を制御するとともに、ディスプレイに各種情報を表示させ且つディスプレイから入力された情報を処理する制御装置などを備えている。
【０００３】
前記制御装置は、投入口から投入されたお金が一定額以上となったときに、商品選択画面をディスプレイに表示させる処理と、この商品選択画面を見た購入者によってディスプレイから入力される情報を基に、選択された商品（排出すべき商品）を認識して、対応する商品を商品排出機構により外部に排出させる処理と、商品排出後、ディスプレイに表示させた各種情報及びディスプレイから入力される情報を基に、例えば、スロットマシンに類似した、絵柄を揃えるゲームなどを提供する処理と、ゲーム終了後、絵柄が揃っているか否かを確認して、揃っている場合には、商品選択画面を再びディスプレイに表示させるとともに、ディスプレイから入力される情報を基に、選択された商品を認識して、対応する商品を商品排出機構により外部に排出させる処理とを順次実行する。
【０００４】
このように構成された自動販売機では、単に商品を販売するだけでなく、商品の購入者に絵柄を揃えるゲームを楽しませるとともに、購入者が当該ゲームにおいて絵柄を揃えた場合には、おまけとして無料で商品を提供することで、当該自動販売機の利用者を増やし、商品販売量の増加が図られている。
【０００５】
【特許文献１】特開平６−６０２５６号公報
【発明の開示】
【発明が解決しようとする課題】
【０００６】
ところで、上記従来のような、いわゆるテレビゲームを提供するように構成された自動販売機は、従来から各種のものが提案され、ありふれたものとなっている。したがって、どのようなゲームが提供されるかといったことにもよるが、上記従来のような自動販売機では、購入者の気を引き難い、即ち、この自動販売機で商品を購入しようという気持ちにさせ難い。また、このようなゲームに興味の無い購入者（特に、女性や幼児など）を引き付け難いという問題もある。
【０００７】
本発明は、以上の実情に鑑みなされたものであって、自動販売機を備え、購入者をより強く引き付けて、この自動販売機での商品販売量を増加させることができる商品販売装置の提供をその目的とする。
【課題を解決するための手段】
【０００８】
上記目的を達成するための本発明は、
予め内部に収容された商品たる煙草の代価を受け付けて、前記商品を外部に排出する自動販売機と、
前記自動販売機と隣接した位置に設けられて喫煙空間を設定する空間設定部材であって、前記自動販売機側から水平方向に張り出すように形成された張出部を有し、この張出部の下方位置及びその周辺位置を前記喫煙空間として設定する空間設定部材と、
前記喫煙空間内又はこの喫煙空間と隣接する位置に配設された灰皿と、
前記空間設定部材の張出部の下面に設けられ、前記喫煙空間内から煙草の煙を排煙する排煙手段とからなることを特徴とする商品販売装置に係る。
【０００９】
この発明によれば、自動販売機において、商品（煙草）の代価が受け付けられると、当該商品が外部に排出される。この後、購入者は、排出された商品を受け取り、空間設定部材によって設定された喫煙空間内で、購入した煙草を吸うことができる。喫煙空間内で生じた煙草の煙は、喫煙空間の上部、即ち、喫煙者の上方に設けられた排煙手段によって喫煙空間内から排煙される。
【００１０】
また、近年、煙草は、所定の喫煙場所で吸うことが要請され、煙草を自由に吸える場所が少なくなってきているため、前記喫煙空間を購入者以外の人でも利用可能として、購入者を含めた喫煙者にこの喫煙空間（喫煙場所）を提供すれば、当該商品販売装置（喫煙空間）を公共的なものとし、多くの喫煙者を引き付けることができる。また、排煙手段が喫煙者の上方に設けられており、障害となるものが何もないので、この喫煙空間内に人（喫煙者）を効率的に集めることもできる。そして、この喫煙空間に多くの人が集まれば、この喫煙空間に隣接した自動販売機で商品（煙草）を購入する人も増加し、商品売上を伸ばすことができる。また、社会的要請から商品販売装置の設置場所も増加し、この商品販売装置自体の売上を伸ばすこともできる。
【００１１】
このように、本発明に係る商品販売装置によれば、煙草を販売する自動販売機と煙草を吸う喫煙空間とを備えたものとすることで、テレビゲーム機能を有する従来のものとは異なり、この商品販売装置に公共性を持たせることができ、多くの喫煙者を引き付けて自動販売機での商品販売量を増加させることができる。また、商品販売装置の設置場所も増加し、この商品販売装置自体の販売量も増加させることができる。
【００１２】
また、本発明は、
予め内部に収容された商品を外部に排出する商品排出機構と、前記商品の代価を受け付ける代価受付機構とを有する自動販売機と、
前記自動販売機と隣接した位置に設けられ、この自動販売機で商品を購入した購入者が利用する空間を設定する空間設定部材と、
前記空間設定部材により設定された空間内で前記購入者の居場所となる領域に向け指向性を持たせて音声を出力する手段であって、前記購入者が不快に感じる音声を前記領域に向けて出力する音声出力手段と、
前記自動販売機及び音声出力手段の作動を制御する制御手段とからなり、
前記制御手段は、前記音声出力手段から前記音声を連続的又は間欠的に出力させる処理と、前記代価受付機構によって代価が受け付けられると、この受付代価が前記商品の代価に相当するものであるか否かを確認して、前記商品の代価に相当する代価の受付を確認した場合に、前記商品排出機構を作動させて前記商品を排出させるとともに、前記音声出力手段からの音声出力を一定時間停止状態にする処理とを実行するように構成されてなることを特徴とする商品販売装置に係る。
【００１３】
この発明によれば、自動販売機の代価受付機構によって購入者から代価が受け付けられると、制御手段により、まず、受付代価が商品の代価に相当するものであるか否かが確認される。そして、商品代価に相当する代価の受付が確認された場合には、制御手段により、商品排出機構が作動せしめられて商品が外部に排出されるとともに、音声出力手段からの音声出力が一定時間停止状態とされる。
【００１４】
この後、購入者は、排出された商品（例えば、ジュースやコーヒー、お茶、煙草など）を受け取り、空間設定部材によって自動販売機の隣接位置に設定された空間を適宜利用することができる。具体的には、前記空間内で、例えば、購入したジュースやコーヒー、お茶を飲んだり、購入した煙草を吸ったり、或いは、幼児を遊ばせることなどができる。
【００１５】
そして、前記一定時間が経過すると、制御手段による制御の下、音声出力手段から、購入者が不快に感じる音声が、空間設定部材により設定された空間内で購入者の居場所となる領域に向け指向性を持たせて連続的又は間欠的に出力され、この音声を聞いた購入者は、不快な感情を抱いて前記空間から退出することとなる。これにより、前記空間内には誰もいなくなり、次の購入者がこの空間を利用することが可能となる。
【００１６】
尚、購入者が不快に感じる音声としては、例えば、黒板やガラスなどを引っ掻く音、蚊の飛ぶ音、ハウリングの音、人が不快と感じる音量，周波数，音色の音などを挙げることができるが、これらに限られるものではなく、購入者に不快感を持たせて前記空間から退出させることが可能な音であれば、どのようなものを採用しても良い。また、前記音声は、空間設定部材により設定された空間内で購入者の居場所となる領域に向け指向性を持たせて出力されているので、この空間の外部にいる人がこの音声を聞くことはない。また、購入者が自動販売機で商品を購入する前、及び、商品の購入後、一定時間が経過したときは、音声出力手段から音声が連続的又は間欠的に出力されているので、商品購入前や商品購入から一定時間が経過した後に前記空間を利用することはできない。また、空間設定部材によって設定される空間をどのようなものとするかは、自動販売機で販売する商品や当該商品販売装置の設置場所などに応じて適宜設定することが好ましい。
【００１７】
このように、本発明に係る商品販売装置によれば、自動販売機で商品を購入した購入者に対して、空間設定部材により設定された空間を利用可能にするといった、従来には無いものを提供しており、従来よりも新鮮味のあるものとすることができるので、購入者の興味を引いてこの自動販売機で商品を購入させることができ、商品販売量を増やすことができる。また、年齢や性別に関係無く幅広い層の購入者を引き付けることが可能であり、当該商品販売装置の利用促進を図ることができる。
【００１８】
尚、前記商品販売装置は、前記空間設定部材により設定された空間内で前記購入者の居場所となる領域に人が居るか否かを検出する検出手段を更に備え、前記制御手段は、上記構成に代え、前記代価受付機構によって代価が受け付けられると、この受付代価が前記商品の代価に相当するものであるか否かを確認して、前記商品の代価に相当する代価の受付を確認した場合に、前記商品排出機構を作動させて前記商品を排出させる処理と、前記検出手段から得られる検出信号を基に、前記購入者の居場所となる領域に人が居るか否かを確認し、人が居ることを確認すると、予め設定された、前記音声の出力停止条件が満たされているか否かを確認して、満たされていないと判断した場合に、前記音声出力手段から前記音声を出力させる処理とを実行するように構成されていても良い。
【００１９】
この場合、制御手段により、検出手段から得られる検出信号を基に、購入者の居場所となる領域に人が居るか否かが確認され、人が居ることが確認されると、予め設定された、音声の出力停止条件が満たされているか否かが確認されて、満たされていないと判断された場合に、音声出力手段から音声が出力される。このようにしても、上記と同様の効果を得ることができる。
【００２０】
ここで、前記音声の出力停止条件としては、例えば、商品代価に相当する代価の受付を確認して商品が排出されて（商品購入）からの経過時間が一定時間を超えていないことなどを挙げることができる。一定時間が経過する前は、購入者が利用可能な時間帯であるため、出力停止条件が満たされている（検出手段によって検出された人は購入者である）と判断して音声出力手段からの音声出力は行わない。一方、一定時間が経過した後は、購入者の利用可能な時間は終了したものと判断したり、商品購入者以外の人が前記空間内に居ると判断して、出力停止条件が満たされていないと判断し、音声出力手段から音声を出力する。
【００２１】
また、前記商品販売装置は、前記空間設定部材によって設定された空間内に、前記制御手段によって作動が制御され、予め設定されたサービスを前記購入者に提供するサービス提供手段を更に備え、前記制御手段は、前記商品の代価に相当する代価の受付を確認した場合に、前記サービス提供手段を一定時間作動させるように構成されていても良い。
【００２２】
このようにすれば、購入者は、商品を購入すると、空間設定部材によって設定された空間内のサービス提供手段によるサービスの提供を受けることができ、この商品販売装置を更に魅力的なものとして商品販売量を増加させることができる。
【００２３】
ここで、サービス提供手段としては、例えば、人が塔乗する搭乗部及びこの搭乗部を駆動する駆動機構部を備えた遊戯装置、マッサージ機構部を備えたマッサージ装置、ガスを吐出する吐出機構部を備えたガス供給装置、人を運動させるための動作機構部を備えた運動装置、人の状態を測定する測定機構部を備えた測定装置、人に表示対象を見せるための表示機構部を備えた表示装置、人に音声を聞かせるための音声出力機構部を備えた音声出力装置、前記空間内の空気を清浄にする浄化機構部を備えた空気清浄装置、前記空間内から煙草の煙などを排煙する排煙機構部を備えた排煙装置、前記空間内の空気の温度や湿度を調節する調節機構部を備えた空気調節装置などを挙げることができるが、これらに限定されるものではない。
【００２４】
また、前記マッサージ装置としては、例えば、購入者の肩や首、足、背中、全身などをマッサージするものを、前記ガス供給装置としては、例えば、香り成分を含んだ空気を吐出して購入者にその匂いを嗅がせるもの、酸素ガスを吐出して購入者に吸引させるもの、マイナスイオンを含んだ空気を吐出して購入者にマイナスイオンを摂取させるものを、前記運動装置としては、例えば、購入者を走らせたり、歩かせるものを、前記測定装置としては、例えば、購入者の健康状態（例えば、血圧や脈拍、体重、体脂肪率など）や口臭を測定するものを、前記表示装置としては、テレビなどの他、例えば、各種映像（例えば、占い，天気予報，ニュース（時事や株式、為替などに関するニュース）といった情報や風景、アニメ、ドラマ、映画、テレビゲームなど）をディスプレイに画面表示したり、適宜構造物（例えば、人形など）を動作させて購入者に見せるもの、覗き穴からディスプレイの表示映像や適宜構造物の動作を見せるものを、前記音声出力装置としては、ラジオなどの他、例えば、各種音声（例えば、リラックスさせるための音楽や前記映像に対応した音声）をスピーカから出力するものを挙げることができるが、これらに限定されるものではない。
【００２５】
また、更に、前記サービス提供手段にどのようなものを採用するかは、自動販売機で販売する商品や当該商品販売装置の設置場所などに応じて適宜設定することが好ましい。
【発明の効果】
【００２６】
斯くして、本発明に係る商品販売装置によれば、煙草を販売する自動販売機と煙草を吸う喫煙空間とを備えたものとすることで、テレビゲーム機能を有する従来のものとは異なり、この商品販売装置に公共性を持たせることができ、多くの喫煙者を引き付けて自動販売機での商品販売量を増加させることができる。また、商品販売装置の設置場所も増加し、この商品販売装置自体の販売量も増加させることができる。
【００２７】
また、空間設定部材によって自動販売機の隣接位置に商品購入者が利用する空間を設定したり、この空間内に所定のサービスを商品購入者に提供するサービス提供手段を設けており、テレビゲーム機能を有する従来のものに比べて新鮮味のあるものとすることができ、幅広い層の購入者の興味を引いて商品販売量の増加につなげることができる。
【発明を実施するための最良の形態】
【００２８】
以下、本発明の具体的な実施形態について、添付図面に基づき説明する。尚、図１は、本発明の一実施形態に係る商品販売装置の概略構成を示した斜視図であり、図２は、図１に示した商品販売装置のブロック図である。
【００２９】
図１及び図２に示すように、本例の商品販売装置１は、平面視矩形状に形成された自動販売機１０と、この自動販売機１０の左右両側に設けられ、この自動販売機１０で商品を購入した購入者が利用する空間Ｓを設定する空間設定部材２０と、この空間設定部材２０により設定された空間Ｓ内で購入者の居場所となる領域に向け指向性を持たせて音声を出力する音声出力装置３０と、空間設定部材２０によって設定された空間Ｓ内に設けられ、予め設定されたサービスを購入者に提供するサービス提供装置３５と、空間設定部材２０によって自動販売機１０の左右両側に設定された空間Ｓの内、利用可能な方の空間Ｓを表示する利用空間表示装置１５と、自動販売機１０，音声出力装置３０，サービス提供装置３５及び利用空間表示装置１５の作動を制御し、自動販売機１０に内蔵された制御装置１６とから構成される。
【００３０】
前記自動販売機１０は、前記制御装置１６の他、この自動販売機１０の前面側上部に形成され、予め内部に収容された複数の商品（ジュースやコーヒー、お茶などの飲料）の見本が陳列される商品見本陳列部１１と、商品見本陳列部１１に陳列された各商品の中から所望の商品を選択するための商品選択機構１２と、各商品の代価を受け付ける代価受付機構１３と、予め内部に収容された商品を外部に排出する商品排出機構１４などを備える。尚、本例において、前記各商品はすべて同じ価格に設定されているものとする。
【００３１】
前記商品選択機構１２は、商品見本陳列部１１の下側に、この商品見本陳列部１１に陳列された各商品にそれぞれ対応して設けられる複数の商品選択ボタン１２ａと、各商品選択ボタン１２ａの内、どのボタン１２ａが押されたかを検出し、検出した商品選択ボタン１２ａに係るデータを制御装置１６に送信する選択商品検出部１２ｂとからなり、前記代価受付機構１３は、各商品選択ボタン１２ａの下側に設けられ、お金（代価）を投入するための代価投入口１３ａと、代価投入口１３ａから投入されたお金の金額を検出して、検出した金額に係るデータを制御装置１６に送信する投入金額検出部１３ｂとからなり、前記商品排出機構１４は、自動販売機１０の前面側下部に形成され、商品を外部に取り出すための商品取出口１４ａを備え、この商品取出口１４ａに商品を排出するように構成されている。
【００３２】
尚、前記自動販売機１０は、特に図示はしていないが、水平回転して前面側に開口し、オペレータがこの自動販売機１０の内部に商品を収納する際などに開ける扉を備えている。このため、前記空間設定部材２０は、この扉を開けたり、閉じる際に干渉することのないように形成されている。
【００３３】
前記空間設定部材２０は、一定の広さを有し、外部から仕切られた空間Ｓ（部屋）を自動販売機１０の左右両側に形成するもので、自動販売機１０の側面下部に接続した床部材２１と、自動販売機１０の上面に設けられ、自動販売機１０の左右方向に突出するように形成された天井部材２２と、自動販売機１０の側面の前部側、床部材２１及び天井部材２２の前部側にそれぞれ接続した前側壁２３と、自動販売機１０の側面の後部側、床部材２１及び天井部材２２の後部側にそれぞれ接続した後側壁２４と、水平回転して開閉し、購入者が空間Ｓの中に出入りするための扉２５とから構成される。
【００３４】
前記各側壁２３，２４や扉２５は、外部から中の状態が見えるように透明な部材から構成しても、外部から中の状態が見えないように不透明な部材から構成しても良い。また、左側の空間Ｓの内部には、２つの椅子２６とテーブル２７が、右側の空間Ｓの内部には、椅子２６とテーブル２７がそれぞれ配置されている。
【００３５】
前記音声出力装置３０は、一定周波数の超音波たる搬送波を、購入者が不快に感じる音声に係る信号で変調して出力信号を生成する出力信号生成部３１と、セラミック圧電素子などの超音波発生素子から構成され、出力信号生成部３１によって生成された出力信号に基づいた超音波を放射する指向性スピーカ３２などからなる。
【００３６】
前記指向性スピーカ３２は、天井部材２２の下面に設けられ、椅子２６（前記空間Ｓ内で購入者の居場所となる領域）に向けて超音波を放射する。この指向性スピーカ３２から放射された超音波は、指向性を持って空気中を伝播するとともに、空気の非線形性に起因する超音波の自己復調現象によって復調され、これにより、空間Ｓ内の購入者にのみ不快に感じる音声が聞こえることとなる。
【００３７】
尚、購入者が不快に感じる音声としては、例えば、黒板やガラスなどを引っ掻く音、蚊の飛ぶ音、ハウリングの音、人が不快と感じる音量，周波数，音色の音などを挙げることができるが、これらに限られるものではなく、後述のように、購入者に不快感を持たせて前記空間Ｓから退出させることが可能な音であれば、どのようなものを採用しても良い。
【００３８】
前記サービス提供装置３５は、天井部材２２の下面に設けられた空気調節装置３６と、テーブル２７の上面に設けられた視聴装置３７と、右側の空間Ｓにおいて床部材２１の上面に設けられたマッサージ器３８である。
【００３９】
前記空気調節装置３６は、制御装置１６によって作動が制御され、前記空間Ｓ内の空気の温度や湿度を調節する調節機構部を備える。また、前記マッサージ器３８は、制御装置１６によって作動が制御され、購入者の足の裏をマッサージするマッサージ機構部３８ａと、このマッサージ機構部３８ａを収容するケース３８ｂとからなる。
【００４０】
前記視聴装置３７は、画面表示を行うディスプレイ３７ａと、各種映像（例えば、占い，天気予報，ニュース（時事や株式、為替情などに関するニュース）といった情報や風景、アニメ、ドラマ、映画、テレビゲームなど）をディスプレイ３７ａに画面表示し、制御装置１６によって作動が制御される映像再生部とを備えた表示機構部や、音声を出力するスピーカ３７ｂと、スピーカ３７ｂから各種音声（例えば、リラックスさせるための音楽や前記映像に対応した音声）を出力し、制御装置１６によって作動が制御される音声再生部とを備える音声出力機構部などからなる。
【００４１】
前記利用空間表示装置１５は、自動販売機１０の前面側の左端部及び右端部にそれぞれ設けられた左側表示部１５ａ及び右側表示部１５ｂからなり、各表示部１５ａ，１５ｂは、その内部に収納された点灯ランプが点灯することで、購入者に、自動販売機１０の左右両側の空間Ｓの内、利用可能な方の空間Ｓを教える。即ち、左側表示部１５ａが点灯すれば、自動販売機１０の左側の空間Ｓを利用可能であり、右側表示部１５ｂが点灯すれば、自動販売機１０の右側の空間Ｓを利用可能であることを購入者に示す。
【００４２】
前記制御装置１６は、出力信号生成部３１の作動を制御して指向性スピーカ３２から連続的（常時）に音声を出力させるとともに、投入金額検出部１３ｂから金額に係るデータが送信されると、即ち、代価投入口１３ａからお金が投入されると、以下に示すような一連の処理を実行する。
【００４３】
具体的には、制御装置１６は、投入金額検出部１３ｂから送信された金額に係るデータを基に、代価投入口１３ａから投入されたお金の合計金額を算出して、算出した合計金額が一定額以上（前記各商品の価格以上）となったか否かを確認する処理と、算出合計金額が一定額以上となっているとき、選択商品検出部１２ｂから送信される商品選択ボタン１２ａに係るデータを基に、選択された商品（排出すべき商品）を認識して、対応する商品を商品排出機構１４によって商品取出口１４ａに排出させる処理と、利用空間表示装置１５の左側表示部１５ａ又は右側表示部１５ｂを点灯させて、自動販売機１０の左右両側の空間Ｓの内、利用可能な方の空間Ｓを購入者に示す処理と、左側表示部１５ａを点灯させた場合には、出力信号生成部３１の作動を制御して、左側の空間Ｓ内に配置された指向性スピーカ３２からの音声出力を一定時間停止させるとともに、空気調節装置３６及び視聴装置３７を一定時間作動させ、右側表示部１５ｂを点灯させた場合には、出力信号生成部３１の作動を制御して、右側の空間Ｓ内に配置された指向性スピーカ３２からの音声出力を一定時間停止させるとともに、空気調節装置３６，視聴装置３７及びマッサージ器３８を一定時間作動させる処理とを順次実行するように構成される。
【００４４】
以上のように構成された本例の商品販売装置１によれば、購入者によってお金が代価投入口１３ａから投入されると、投入されたお金の金額が投入金額検出部１３ｂによって検出され、検出金額に係るデータがこの投入金額検出部１３ｂから制御装置１６に送信される。制御装置１６では、受信した金額に係るデータを基に、投入されたお金の合計金額が算出されて、算出された合計金額が一定額以上（前記各商品の価格以上）となったか否かが確認される。
【００４５】
そして、算出合計金額が一定額以上となっているときには、購入者によって所望の商品に対応した商品選択ボタン１２ａが押されると、各商品選択ボタン１２ａの内、どのボタン１２ａが押されたかが選択商品検出部１２ｂにより検出されて、検出された商品選択ボタン１２ａに係るデータが制御装置１６に送信され、この制御装置１６により、受信した商品選択ボタン１２ａに係るデータを基に、選択された商品（排出すべき商品）が認識されて、対応する商品が、商品排出機構１４により商品取出口１４ａに排出される。
【００４６】
また、制御装置１６により、空間設定部材２０によって設定された自動販売機１０の左右両側の空間Ｓの内、利用可能な方の空間Ｓが認識されて、認識された空間Ｓに対応する表示部１５ａ，１５ｂが点灯され、購入者に利用可能な方の空間Ｓが示される。また、更に、出力信号生成部３１の作動が制御されて利用可能な方の空間Ｓ内の指向性スピーカ３２から不快感を持たせるような音声が出力されなくなるとともに、左側の空間Ｓが利用可能と判断された場合には、空気調節装置３６の調節機構部と、視聴装置３７の映像再生部及び音声再生部とが一定時間作動し、右側の空間Ｓが利用可能と判断された場合には、空気調節装置３６の調節機構部と、視聴装置３７の映像再生部及び音声再生部と、マッサージ器３８のマッサージ機構部３８ａが一定時間作動する。
【００４７】
この後、購入者は、商品取出口１４ａから商品（飲料）を取り出すことで、当該商品を受け取り、点灯した表示部１５ａ，１５ｂによって示される空間Ｓ内であって、空気調節装置３６により快適な状態とされた空間Ｓ内で、椅子２６に座って視聴装置３７による映像を見たり、音声を聞いたり、マッサージ器３８によるマッサージを受けてくつろぎながら購入した飲料を飲むことができる。
【００４８】
そして、一定時間が経過すると、制御装置１６により、空気調節装置３６，視聴装置３７及びマッサージ器３８の作動が停止せしめられるとともに、出力信号生成部３１の作動が制御されて、購入者が不快に感じる音声が指向性スピーカ３２から連続的に出力される。これにより、購入者は、不快な感情を抱いて前記空間Ｓから退出することとなり、この結果、前記空間Ｓ内には誰もいなくなって、次の購入者がこの空間Ｓを利用することが可能となる。
【００４９】
尚、購入者が不快に感じる音声は、指向性スピーカ３２から椅子２６に向けて指向性を持たせて連続的に出力されているので、前記空間Ｓの外部にいる人がこの音声を聞くことはない。また、購入者が自動販売機１０で商品を購入する前、及び、商品の購入後、一定時間が経過したときは、指向性スピーカ３２から音声が出力されているので、商品購入前や商品購入から一定時間が経過した後に前記空間Ｓを利用することはできない。
【００５０】
このように、本例の商品販売装置１によれば、自動販売機１０で商品を購入した購入者に対して、空間設定部材２０により形成された空間Ｓを利用可能にしたり、この空間Ｓ内に設けられたサービス提供装置３５（空気調節装置３６，視聴装置３７，マッサージ器３８）により所定のサービスを提供するといった、従来には無いものを提供しており、従来よりも新鮮味のあるものとすることができるので、購入者の興味を引いてこの自動販売機１０で商品を購入させることができ、商品販売量を増やすことができる。また、年齢や性別に関係無く幅広い層の購入者を引き付けることが可能であり、当該商品販売装置１の利用促進を図ることができる。
【００５１】
以上、本発明の一実施形態について説明したが、本発明の採り得る具体的な態様は、何らこれに限定されるものではない。
【００５２】
上例では、一定周波数の超音波たる搬送波を、購入者が不快に感じる音声に係る信号で変調して出力信号を生成し、この生成した出力信号に基づく超音波を指向性スピーカ３２から放射することで、購入者が不快に感じる音声を、指向性を持たせて出力するように構成したが、これに限られるものではなく、他の方法により、指向性を持たせてこのような音声を出力するようにしても良い。
【００５３】
また、制御装置１６が、指向性スピーカ３２から音声が連続的に出力されるように出力信号生成部３１の作動を制御するように構成したが、これに限られるものではなく、一定時間毎に音声を出力するなど間欠的に出力するように構成することもできる。
【００５４】
また、更に、空間設定部材２０により形成された空間Ｓ内で購入者の居場所となる領域に人が居るか否か（椅子２６に人が座っているか否か）を検出する検出センサ（図示せず）を設けるとともに、前記制御装置１６が、前記検出センサ（図示せず）から得られる検出信号を基に、前記購入者の居場所となる領域に人が居るか否かを確認し、人が居ることを確認すると、予め設定された、前記音声の出力停止条件が満たされているか否かを確認して、満たされていないと判断した場合に、出力信号生成部３１の作動を制御して指向性スピーカ３２から音声を出力させるように構成することもできる。
【００５５】
尚、前記制御装置１６は、代価投入口１３ａからお金が投入されると、投入金額検出部１３ｂから送信された金額に係るデータを基に、代価投入口１３ａから投入されたお金の合計金額を算出して、算出した合計金額が一定額以上（前記各商品の価格以上）となったか否かを確認する処理と、算出合計金額が一定額以上となっているとき、選択商品検出部１２ｂから送信される商品選択ボタン１２ａに係るデータを基に、選択された商品（排出すべき商品）を認識して、対応する商品を商品排出機構１４によって商品取出口１４ａに排出させる処理と、利用空間表示装置１５の左側表示部１５ａ又は右側表示部１５ｂを点灯させて、自動販売機１０の左右両側の空間Ｓの内、利用可能な方の空間Ｓを購入者に示す処理と、左側表示部１５ａを点灯させた場合には、空気調節装置３６及び視聴装置３７を一定時間作動させ、右側表示部１５ｂを点灯させた場合には、空気調節装置３６，視聴装置３７及びマッサージ器３８を一定時間作動させる処理とを順次実行するように構成される。
【００５６】
前記検出センサ（図示せず）は、例えば、天井部材２２の下面に設けられた発光・受光型のセンサから構成され、検出信号を制御装置１６に送信する。また、この検出センサ（図示せず）は、床部材２１や椅子２６に設けられ、椅子２６に座った人の重量を検出する圧力センサなどから構成しても良く、どのようなセンサを採用しても良い。
【００５７】
このように構成すると、制御装置１６により、検出センサ（図示せず）から得られる検出信号を基に、購入者の居場所となる領域に人が居るか否かが確認され、人が居ることが確認されると、予め設定された、音声の出力停止条件が満たされているか否かが確認されて、満たされていないと判断された場合に、指向性スピーカ３２から音声が出力される。
【００５８】
ここで、前記音声の出力停止条件としては、例えば、商品代価に相当する代価の受付を確認して商品が排出されて（商品購入）からの経過時間が一定時間を超えていないこと、及び人の居ることが検出された空間Ｓが購入者によって利用可能とされた空間Ｓであることなどを挙げることができる。利用空間表示装置１５の点灯によって購入者に利用可能と示された空間Ｓ内に人が居ることが検出された場合であって、一定時間が経過する前は、購入者が利用可能な時間帯であるため、出力停止条件が満たされている（検出センサによって検出された人は購入者である）と判断して指向性スピーカ３２からの音声出力は行わない。一方、利用空間表示装置１５の点灯によって購入者に利用可能と示された空間Ｓ内に人が居ることが検出された場合であって、一定時間が経過した後は、購入者の利用可能な時間は終了したものと判断したり、商品購入者以外の人が前記空間Ｓ内に居ると判断し、利用空間表示装置１５の点灯によって購入者に利用可能と示されていない空間Ｓ内に人が居ることが検出された場合には、商品購入者以外の人が前記空間Ｓ内に居ると判断して、いずれも出力停止条件が満たされていないと判断し、指向性スピーカ３２から音声を出力する。
【００５９】
また、上例では、自動販売機１０で販売する商品を、ジュースやコーヒー、お茶などの飲料としたが、これに限られるものではなく、どのような商品を販売するようにしても良い。例えば、自動販売機１０で販売する商品を煙草とする場合には、図３に示すような商品販売装置２とすることができる。
【００６０】
この場合、前記商品販売装置２は、煙草を販売する自動販売機１０と、空間設定部材５０と、前記音声出力装置３０と、前記サービス提供装置３５と、前記利用空間表示装置１５と、前記制御装置１６とから構成され、空間設定部材５０は、自動販売機１０の側面下部に接続した床部材５１と、自動販売機１０の上面に設けられ、自動販売機１０の左右方向に突出するように形成された天井部材５２と、平面視Ｕ字状に形成されて床部材５１及び天井部材５２の周縁部に設けられ、一方側の端部が自動販売機１０の側面の後部側に接続した側壁５３と、自動販売機１０の側面の前部側と側壁５３の他方側の端部との間に設けられ、水平回転して開閉し、購入者が空間Ｓの中に出入りするための扉５４とから構成される。また、左側の空間Ｓの内部には、椅子２６とテーブル２７が、右側の空間Ｓの内部には、２つの椅子２６とテーブル２７がそれぞれ配置されている。
【００６１】
また、前記サービス提供装置３５は、前記空気調節装置３６と、前記視聴装置３７と、視聴装置３７の手前側に設けられた空気清浄器３９であり、この空気清浄器３９は、制御装置１６によって作動が制御され、清浄化対象となる、前記空間Ｓの内部の空気を清浄にする浄化機構部を備える。尚、符号２９は灰皿である。また、視聴装置３７の図示において前記スピーカ３７ｂは省略している。
【００６２】
このように商品販売装置２を構成しても、購入者が商品（煙草）を購入すると、出力信号生成部３１の作動が制御されて、指向性スピーカ３２から不快感を持たせるような音声が一定時間出力されなくなるとともに、空気調節装置３６の調節機構部と、視聴装置３７の映像再生部及び音声再生部と、空気清浄器３９の浄化機構部とが一定時間作動するので、購入者は、空気調節装置３６により快適な状態とされ且つ空気清浄器３９により清浄な状態とされた空間Ｓ内で、椅子２６に座って視聴装置３７による映像を見たり、音声を聞いてくつろぎながら購入した煙草を吸うことができる。したがって、この商品販売装置２においても、上記と同様の効果を得ることができる。
【００６３】
また、図１に示した商品販売装置１や図３に示した商品販売装置２のように、空間設定部材２０，５０は、外部から仕切られた空間Ｓを必ずしも形成する必要は無い。例えば、図４に示すように、空間設定部材５５は、煙草を販売する自動販売機１０の左右両側に、喫煙場所となる、外部から隔てられていない空間（喫煙空間）Ｓを形成するように構成されていても良い。
【００６４】
この場合、前記空間設定部材５５は、自動販売機１０の左右両側に設けられ、自動販売機１０と略同じ高さに形成された垂直部５６と、垂直部５６の上端部に自動販売機１０側からその逆方向（自動販売機１０の左右方向）に張り出すように形成された張出部５７とを有するＬ字状に形成され、この張出部５７の下方位置及びその周辺位置を前記喫煙空間Ｓとして設定する。垂直部５６の上下方向略中央位置には灰皿２９が配置され、張出部５７の下面には、サービス提供装置３５たる排煙装置４０が設けられる。この排煙装置４０は、制御装置１６によって作動が制御され、喫煙空間Ｓ内から煙草の煙を排煙する排煙機構部を備える。また、前記指向性スピーカ３２は、張出部５７の下面に設けられて、排煙装置４０の下方位置に向けて超音波を放射する。尚、垂直部５６の上端部及び張出部５７は、喫煙空間Ｓ内にいる喫煙者の身長よりも高くなるように形成されている。また、灰皿２９は、垂直部５６に設けられるのではなく、喫煙空間Ｓに隣接した位置に適宜配設するようにしても良い。
【００６５】
このような空間設定部材５５を備えた商品販売装置３によっても、煙草を購入した購入者は、喫煙空間Ｓ内で、購入した煙草を吸うことができ、上記と同様の効果を得ることができる。尚、喫煙空間Ｓ内で生じた煙草の煙は、喫煙空間Ｓの上部であり且つ喫煙者の上方に設けられた排煙装置４０によって喫煙空間Ｓ内から排煙される。
【００６６】
また、このような商品販売装置３において、図５に示すように、前記音声出力装置３０及び利用空間表示装置１５はこれを省略して構成することができる。この場合、制御装置１６は、排煙装置４０の排煙機構部を常時作動させる処理と、代価投入口１３ａから投入されたお金の合計金額を確認して商品を排出させる処理とを実行する。
【００６７】
近年、煙草は、所定の喫煙場所で吸うことが要請され、煙草を自由に吸える場所が少なくなってきているため、前記喫煙空間Ｓを購入者以外の人でも利用可能として、購入者を含めた喫煙者にこの喫煙空間（喫煙場所）Ｓを提供すれば、当該商品販売装置４（喫煙空間Ｓ）を公共的なものとし、多くの喫煙者を引き付けることができる。また、排煙装置４０が喫煙者の上方に設けられており、障害となるものが何もないので、この喫煙空間Ｓ内に人（喫煙者）を効率的に集めることもできる。そして、この喫煙空間Ｓに多くの人が集まれば、この喫煙空間Ｓに隣接した自動販売機１０で商品（煙草）を購入する人も増加し、商品売上を伸ばすことができる。また、社会的要請から商品販売装置４の設置場所も増加し、この商品販売装置４自体の売上を伸ばすこともできる。
【００６８】
この商品販売装置４のように、喫煙空間Ｓを多くの喫煙者に解放すれば、テレビゲーム機能を有する従来のものとは異なり、商品販売装置４に公共性を持たせることができ、多くの喫煙者を引き付けて自動販売機１０での商品販売量を増加させることができる。また、商品販売装置４の設置場所も増加し、この商品販売装置４自体の販売量も増加させることができる。
【００６９】
また、図６に示すように、商品販売装置５は、サービス提供装置３５として遊戯装置４１，４２を備えて構成されていても良い。自動販売機１０の左側に配置された遊戯装置４１は、人が搭乗するシートたる搭乗部４１ａと、水平回転自在に設けられ、上面に搭乗部４１ａが載置される回転板４１ｂと、回転板４１ｂを水平回転させる駆動機構部（図示せず）とからなり、自動販売機１０の右側に配置された遊戯装置４２は、動物などを形取って形成され、人が搭乗する搭乗部４２ａと、搭乗部４２ａを上下動させる駆動機構部（図示せず）とからなる。
【００７０】
尚、空間設定部材６０は、自動販売機１０の側面下部に接続し、前記駆動機構部（図示せず）が収容される床部材６１と、自動販売機１０の上部を覆うように且つ床部材６１の上方位置に設けられた屋根部材６２とから構成される。また、床部材６１や屋根部材６２などには、アニメのキャラクターなどのぬいぐるみ７０や風船７１が設けられ、このような飾り付けによっても、幼児や幼児を連れた親の興味を引くことができ、自動販売機１０での売上を増やすことができる。また、図６において前記指向性スピーカ３２の図示は省略している。
【００７１】
このような商品販売装置５によっても、購入者が商品を購入すると、出力信号生成部３１の作動が制御されて、指向性スピーカ（図示せず）から不快感を持たせるような音声が一定時間出力されなくなるとともに、遊戯装置４１，４２の駆動機構部（図示せず）が一定時間作動するので、購入者は、水平回転する搭乗部４１ａや上下動する搭乗部４２ａに幼児を乗せて遊ばせることができ、上記と同様の効果を得ることができる。
【００７２】
また、商品販売装置１，２，３，４，５は、１台の自動販売機１０を備えたものに限られず、複数台の自動販売機１０を備えたものであっても良い。例えば、２台の自動販売機１０を備える商品販売装置６は、図７及び図８に示すように、自動販売機１０の後面側が互いに向き合うように背中合わせにして配置され、空間設定部材６５によって自動販売機１０の左右両側に空間Ｓが形成される。
【００７３】
前記空間設定部材６５は、自動販売機１０の側面下部に接続した床部材６６と、自動販売機１０の上面に設けられ、自動販売機１０の左右方向に突出するように形成された天井部材６７と、平面視Ｕ字状に形成されて床部材６６及び天井部材６７の周縁部に設けられ、両端部が各自動販売機１０の側面の前部側及び後部側にそれぞれ接続した側壁６８とから構成されており、側壁６８には、購入者が空間Ｓの中に出入りするための開口部６８ａが自動販売機１０の左側面近傍に形成されている。また、左側の空間Ｓの内部には、椅子２６とテーブル２７が、右側の空間Ｓの内部には、テーブル２７がそれぞれ配置されている。このように商品販売装置６を構成しても、上記と同様の効果を得ることができる。
【００７４】
また、上例の商品販売装置１，２，３，５では、購入者が利用可能な方の空間Ｓを利用空間表示装置１５の各表示部１５ａ，１５ｂによって購入者に示すように構成したが、これに限られるものではなく、各表示部１５ａ，１５ｂに代えて設けられた利用空間選択ボタンを購入者が押すことにより、購入者の希望する空間Ｓが利用可能となるように構成しても良い。
【００７５】
この場合、商品販売装置１，２，３，５は、利用空間表示装置１５に代えて、各空間Ｓにそれぞれ対応して設けられる利用空間選択ボタンと、どちらの利用空間選択ボタンが押されたかを検出し、検出した利用空間選択ボタンに係るデータを制御装置１６に送信する選択利用空間検出部とからなる利用空間選択機構を備え、制御装置１６は、選択利用空間検出部から送信される利用空間選択ボタンに係るデータを基に、選択された空間Ｓを認識して、対応する空間Ｓに配置された指向性スピーカ３２からの音声出力を停止させるとともに、サービス提供装置３５を作動させる。
【００７６】
このように、購入者が利用空間Ｓを選択可能に構成すれば、購入者の多様な趣味感や好みにより合わせ易くすることができ、購入者の興味をより強く引くことができる。
【００７７】
また、商品販売装置１，２，３，４，５，６では、自動販売機１０の左右両側に空間Ｓを形成したが、この空間Ｓは、自動販売機１０の左側又は右側の片側だけに形成しても良い。また、更に、この空間Ｓは、自動販売機１０の側面ではなく、例えば、後面側に形成するなど、自動販売機１０の隣接位置であればどこに形成しても良い。
【００７８】
また、空間設定部材２０，５０，５５，６０，６５によって形成された空間Ｓや、この空間Ｓの内部に配置されるサービス提供装置３５や適宜構造物は、上例のものに限られず、各種のものを採用することができるが、どのようなものとするかは、自動販売機１０で販売する商品や当該商品販売装置１，２，３，４，５，６の設置場所などに応じて適宜設定することが好ましい。
【００７９】
また、前記サービス提供装置３５としては、特に限定されるものではないが、上述したものの他、例えば、ガスを吐出する吐出機構部を備えたガス供給装置、人を運動させるための動作機構部を備えたフィットネス機器などの運動装置、人の状態を測定する測定機構部を備えた測定装置などを挙げることができる。
【００８０】
そして、前記ガス供給装置としては、例えば、香り成分を含んだ空気を吐出して購入者にその匂いを嗅がせるもの、酸素ガスを吐出して購入者に吸引させるもの、マイナスイオンを含んだ空気を吐出して購入者にマイナスイオンを摂取させるものを、前記運動装置としては、例えば、購入者を走らせたり、歩かせるものを、前記測定装置としては、例えば、購入者の健康状態（例えば、血圧や脈拍、体重、体脂肪率など）や口臭を測定するものを挙げることができる。また、前記マッサージ器３８は、購入者の足の裏ではなく、肩や首、背中、全身などをマッサージするものを採用しても良く、前記視聴装置３７の表示機構部は、ディスプレイ３７ａに映像を再生するのではなく、適宜構造物（例えば、人形など）を動作させてその動きを購入者に見せたり、覗き穴からディスプレイ３７ａの表示映像や適宜構造物の動作を見せるものを採用しても良い。
【００８１】
また、制御装置１６が、サービス提供装置３５たる遊戯装置４１，４２を作動させるタイミングは、商品排出機構１４による商品の排出と同時に作動させるようにしたり、商品排出機構１４による商品の排出から所定時間経過後に作動させるようにしても良い。また、遊戯装置４１，４２に適宜作動ボタンを設け、この作動ボタンからの入力信号を受信した後に、制御装置１６が遊戯装置４１，４２を作動させるように構成しても良い。このようにすると、購入者の準備ができてから装置が作動し始めるので、安全に動作させることができる。
【図面の簡単な説明】
【００８２】
【図１】本発明の一実施形態に係る商品販売装置の概略構成を示した斜視図である。
【図２】図１に示した商品販売装置のブロック図である。
【図３】本発明の他の実施形態に係る商品販売装置の概略構成を示した斜視図である。
【図４】本発明の他の実施形態に係る商品販売装置の概略構成を示した斜視図である。
【図５】本発明の他の実施形態に係る商品販売装置の概略構成を示した斜視図である。
【図６】本発明の他の実施形態に係る商品販売装置の概略構成を示した斜視図である。
【図７】本発明の他の実施形態に係る商品販売装置の概略構成を示した斜視図である。
【図８】図７における矢示Ａ−Ａ方向の断面図である。
【符号の説明】
【００８３】
１      商品販売装置
１０    自動販売機
１１    商品見本陳列部
１２    商品選択機構
１２ａ  商品選択ボタン
１２ｂ  選択商品検出部
１３    代価受付機構
１３ａ  代価投入口
１３ｂ  投入金額検出部
１４    商品排出機構
１４ａ  商品取出口
１５    利用空間表示装置
１６    制御装置
２０    空間設定部材
２１    床部材
２２    天井部材
２３，２４  側壁
２５    扉
２６    椅子
２７    テーブル
３０    音声出力装置
３１    出力信号生成部
３２    指向性スピーカ
３５    サービス提供装置
３６    空気調節装置
３７    視聴装置
３８    マッサージ器
Ｓ      空間
【図１】
2008040856.tif 000003
【図２】
2008040856.tif 000004
【図３】
2008040856.tif 000005
【図４】
2008040856.tif 000006
【図５】
2008040856.tif 000007
【図６】
2008040856.tif 000008
【図７】
2008040856.tif 000009
【図８】
2008040856.tif 000010